(57)【要約】【課題】表示パネルに表示される複数種類のそれぞれの画像を違和感なく視認させることが可能になる駆動装置を提供する。【解決手段】ガンマ補正回路は、第１系列に対応する第１ＬＵＴ４１０、第２系列に対応する第２ＬＵＴ４２０、第３系列に対応する第３ＬＵＴ４３０、および第４系列に対応する第４ＬＵＴ４４０を有する。第１系列は自然画像に対応し、第２系列はテキスト画像に対応し、第３系列は動画像に対応し、第４系列はテキスト動画像に対応する。各ＬＵＴには、表示データが示す信号レベルに対応したデータ電圧（ソース電圧）値選択を示すデータであって、ガンマ補正が施されたデータが、０〜６３の信号レベルのそれぞれに対応して設定されている。各系列データ選択回路４１５，４２５，４２５，４２５のうち、イネーブル信号を受けている系列データ選択回路のみが、対応するＬＵＴから出力されたデータを通過させる。【選択図】図３
2008107652.tif 000002
【特許請求の範囲】
【請求項１】
表示パネルを駆動する駆動装置であって、ガンマ補正機能を備えた駆動装置において、
複数種類の画像のそれぞれについてガンマ補正を行う複数のガンマ補正部と、
表示パネルにいずれの種類の画像が表示されるのかを判定し、判定結果に対応するガンマ補正部にガンマ補正を実行させる画像種類判定部とを備えた
ことを特徴とするガンマ補正機能を備えた駆動装置。
【請求項２】
画像種類判定部は、表示データを供給する外部装置から、いずれの種類の画像が表示パネルに表示されるのかを特定しうるデータを入力し、入力したデータにもとづいて、ガンマ補正を実行させるガンマ補正部を決定するように構成された
請求項１記載のガンマ補正機能を備えた駆動装置。
【請求項３】
画像種類判定部は、ガンマ補正を実行させるガンマ補正部のみを動作可能にする選択信号を出力し、
それぞれのガンマ補正部は、
表示データが示す信号レベルとガンマ補正後のデータとを対応させて記憶するテーブルと、
前記選択信号が、当該ガンマ補正部を動作可能にすることを示している場合に、前記テーブルから出力されたデータを出力する選択回路とを有する
請求項１または請求項２記載のガンマ補正機能を備えた駆動装置。
【請求項４】
少なくとも、自然画像について表示データが示す信号レベルとガンマ補正後のデータとを対応させて記憶するテーブルを有する第１のガンマ補正部と、テキスト画像について表示データが示す信号レベルとガンマ補正後のデータとを対応させて記憶するテーブルを有する第２のガンマ補正部と、動画像について表示データが示す信号レベルとガンマ補正後のデータとを対応させて記憶するテーブルを有する第３のガンマ補正部とを備えた
請求項３記載のガンマ補正機能を備えた駆動装置。
【発明の詳細な説明】
【技術分野】
【０００１】
本発明は、液晶表示パネルや有機ＥＬ表示パネルなどの表示パネルを駆動する駆動装置に関し、特に、表示装置の透過率特性または発光特性に応じた駆動電圧を発生するガンマ補正機能を備えた駆動装置に関する。
【背景技術】
【０００２】
図１０は、ノーマリーブラックモードのＴＦＴ（Thin Film Transistor ）型液晶表示パネルの印加電圧−光透過率特性（以下、Ｖ−Ｔ特性という。）の一例を示す説明図である。横軸は、液晶表示パネルのソース配線に印加される電圧値に相当するものとする。図１０に示すように、液晶への印加電圧と光透過率（以下、透過率という。）との関係は非線形である。また、印加電圧が低い場合および印加電圧が高い場合の透過率の変化の程度は、印加電圧が中間的な場合の透過率の変化に比べて小さい。
【０００３】
階調表示を行う場合に、階調レベルと透過率との関係が図１１に示すような特性を示すと、液晶表示パネルに表示された画像が違和感なく視認できるとされている（例えば、特許文献１参照）。図１１において、横軸は信号レベルを示す。また、図１１には、６４階調表示を行う例が示され、レベル０〜６３までの各信号レベルは、レベル０〜６３で等間隔に設定されている。なお、図１１に示すような特性は、透過率をＴとし入力レベル（信号レベル）をＶとすると、Ｔ＝Ｖのγ乗で表される。また、図１１には、γ＝２．２であるときの例が示されている。図１０に示すような特性を有する液晶表示パネルにおいて、図１１に示すような特性を得ようとすると、入力レベル（信号レベル）に応じた電圧値を補正する必要がある。すなわち、ガンマ補正を行う必要がある。
【０００４】
一つの液晶表示パネルに表示される画像の種類は多様化している。例えば、ある時点ではテキスト（文字）を多く含む画像またはテキストのみを含む画像（以下、テキスト画像という。）を表示したり、他の時点ではテキスト以外の画像であってカメラで撮像した画像等の静止画像（以下、自然画像という。）を表示したり、さらに他の時点では動画像を表示することがある。なお、自然画像は、一部（例えば、表示領域全体のうちの３０％以下の領域）においてテキストを含んでいてもよい。一般に液晶表示装置には自然画像を対象にしたガンマ補正を行うガンマ補正機能が搭載されているが、多種類の画像を表示するする必要がある液晶表示パネルにおいて、自然画像に適したガンマ補正の特性が、テキスト画像や動画像に対して適するとは限らない。
【０００５】
表示パネルを駆動する駆動回路に複数のガンマ補正機能を実現するための手段が搭載された液晶表示装置がある（例えば、特許文献２参照。）。しかし、特許文献２に記載された液晶表示装置では、ガンマ補正機能を実現するための複数の手段は、Ｒ（赤）データについてガンマ補正を行う手段、Ｇ（緑）データについてガンマ補正を行う手段およびＢ（青）データについてガンマ補正を行う手段である。画像の種類に応じた複数の手段が設けられているわけではない。すなわち、画像全体として考えると、１種類のガンマ補正機能が備わっているに過ぎない。
【０００６】
【特許文献１】特開２００６−１７１３６７号公報（段落０００４−０００６、図３−図５）
【特許文献２】特開２００１−２３８２２７号公報（段落００１４−００１７、図１）
【発明の開示】
【発明が解決しようとする課題】
【０００７】
上記のように、ガンマ補正機能を備えた駆動回路を含む液晶表示装置が、状況に応じて異なる種類の画像を表示する用途に用いられる場合には、ある種類の画像について適するガンマ補正機能が、他の種類の画像についても適正であるとは限らない。つまり、視認者に対して、ある種類の画像を違和感なく視認させるように表示できても、他の種類の画像を違和感なく視認させるように表示できるとは限らない。違和感があるとは、一例として、色味が薄くなったり、階調変化の程度が低くなったりすることである。
【０００８】
そこで、本発明は、状況に応じて複数種類の画像を表示する表示パネルを駆動するのに適し、表示パネルに表示される複数種類のそれぞれの画像を違和感なく視認させることが可能になるガンマ補正機能を備えた駆動装置を提供することを目的とする。
【課題を解決するための手段】
【０００９】
本発明によるガンマ補正機能を備えた駆動装置は、複数種類の画像のそれぞれについてガンマ補正を行う複数のガンマ補正部（例えば、第１ＬＵＴ４１０および第１系列データ選択回路４１５によるガンマ補正部と、第２ＬＵＴ４２０および第２系列データ選択回路４２５によるガンマ補正部と、第３ＬＵＴ４３０および第３系列データ選択回路４３５によるガンマ補正部と、第４ＬＵＴ４４０および第４系列データ選択回路４４５によるガンマ補正部）と、表示パネルにいずれの種類の画像が表示されるのかを判定し、判定結果に対応するガンマ補正部にガンマ補正を実行させる画像種類判定部とを備えたことを特徴とする。なお、駆動装置は、ワンチップのＬＳＩで実現されていてもよい。
【００１０】
画像種類判定部は、表示データを供給する外部装置から、いずれの種類の画像が表示パネルに表示されるのかを特定しうるデータ（例えば、系列選択データ）を入力し、入力したデータにもとづいて、ガンマ補正を実行させるガンマ補正部を決定するように構成されていてもよい。
【００１１】
画像種類判定部は、ガンマ補正を実行させるガンマ補正部のみを動作可能にする選択信号（例えば、第１〜第４イネーブル信号）を出力し、それぞれのガンマ補正部は、表示データが示す信号レベルとガンマ補正後のデータとを対応させて記憶するテーブル（例えば、第１ＬＵＴ４１０、第２ＬＵＴ４２０、第３ＬＵＴ４３０、第４ＬＵＴ４４０）と、選択信号が、当該ガンマ補正部を動作可能にすることを示している場合に、テーブルから出力されたデータを出力する選択回路（例えば、第１系列データ選択回路４１５、第２系列データ選択回路４２５、第３系列データ選択回路４３５、第４系列データ選択回路４４５）とを有するように構成されていてもよい。
【００１２】
少なくとも、自然画像について表示データが示す信号レベルとガンマ補正後のデータとを対応させて記憶するテーブルを有する第１のガンマ補正部と、テキスト画像について表示データが示す信号レベルとガンマ補正後のデータとを対応させて記憶するテーブルを有する第２のガンマ補正部と、動画像について表示データが示す信号レベルとガンマ補正後のデータとを対応させて記憶するテーブルを有する第３のガンマ補正部とを備えていることが好ましい。
【発明の効果】
【００１３】
本発明によれば、表示パネルに表示される複数種類のそれぞれの画像を違和感なく視認させることが可能になり、状況に応じて複数種類の画像を表示する表示パネルを駆動するのに適した駆動装置を得ることができる。
【発明を実施するための最良の形態】
【００１４】
以下、本発明の実施の形態を図面を参照して説明する。
図１は、本発明による駆動回路（駆動装置）の一例を、駆動回路の外部に設置されている外部装置であるＭＰＵ（Micro Processing Unit）４０（例えば、携帯電話機のＭＰＵ）および液晶表示パネル１０とともに示すブロック図である。図１に示す例では、ＴＦＴがマトリクス状に配され、画素電極とコモン電極との間に液晶が挟持されたＴＦＴ型の液晶表示パネル１０が用いられている。
【００１５】
液晶表示パネル１０を駆動する駆動回路には、液晶表示パネル１０における同列のＴＦＴのソースに接続されるデータ電極としての各ソース電極（ソース配線）が繋がれたソースドライバ（データ電極ドライバ）１２、液晶表示パネル１０における同行のＴＦＴのゲートに接続される走査電極としての各ゲート電極（ゲート配線）が繋がれたゲートドライバ（走査電極ドライバ）１３、データ電圧を作成するための電圧をソースドライバ１２に供給するとともに、選択電圧（オン電圧）と非選択電圧（オフ電圧）とを作成するための電圧をゲートドライバ１３に供給する電源回路１４が設けられている。
【００１６】
制御回路としてのコントローラ１１は、ＭＰＵ４０から供給される表示データ（画素データ）を一時記憶するＲＡＭ１１１を有し、ソースドライバ１２およびゲートドライバ１３に、フレームの開始を示す信号に相当するＶＳＹＮＣ信号を出力するとともに、各選択期間（１本のゲート配線にオン電圧としての選択電圧が印加される期間）毎に、ＣＰ（制御パルス）信号を出力する。なお、ＭＰＵ４０から入力されるインタフェースの形式として、非同期に表示データを出力する形式であるいわゆるＭＰＵインタフェース、同期信号としてＶＳＹＮＣ（垂直同期信号）を含むいわゆるＶＳＹＮＣインタフェース、同期信号としてＶＳＹＮＣおよびＨＳＹＮＣ（水平同期信号）を含むいわゆるＲＢＧインタフェース、その他いずれのインタフェースを用いてもよい。
【００１７】
ゲートドライバ１３は、カウンタを内蔵し、ＶＳＹＮＣ信号が入力されるとカウンタをリセットし、ＣＰ信号が入力されるとカウンタの値を＋１する。そして、カウンタの値が示すゲート配線にＴＦＴのゲートを導通状態にさせるための選択電圧を印加し、他のゲート配線にＴＦＴのゲートを遮断状態にさせるための非選択電圧を印加する。また、ゲートドライバ１３に内蔵されているコモン電圧出力部１３１は、コモン配線にコモン電圧を印加する。
【００１８】
ソースドライバ１２は、ＣＰ信号が入力されると、データ信号をラッチするとともに、ラッチしているデータ信号に応じたデータ電圧をソース配線に印加する。ゲートドライバ１３はＣＰ信号に同期してゲート配線に選択電圧を印加するので、ソースドライバ１２は、ゲート配線への選択電圧の印加に同期して各ソース配線にデータ電圧を印加することになる。
【００１９】
また、本実施の形態では、コントローラ１１とソースドライバ１２との間に、階調データ制御回路２０が設けられている。階調データ制御回路２０は、ＲＡＭ１１１から読み出されたデータ信号（表示データ）の階調レベルに応じたデータ電圧を示す値であって、ガンマ補正が施された値を示すデータをデータ信号として出力する回路である。なお、階調データ制御回路２０の設置位置は、コントローラ１１とソースドライバ１２との間に限られない。ＭＰＵ以外の全体を１チップ化してもよい。
【００２０】
この実施の形態の駆動回路には、画像の種類に応じたガンマ補正を行う複数のガンマ補正機能が実装されている。また、複数のガンマ補正機能を実現するために、それぞれのガンマ補正機能を実現するためのルックアップテーブル（ＬＵＴ）が、駆動回路が内蔵するＲＡＭまたはＲＯＭに格納されている。
【００２１】
また、この実施の形態では、画像の種類として、自然画像、テキスト画像、動画像、およびテキスト動画像の４種類を例にする。テキスト動画像は、画面においてテキストが流れていくように表示される画像であり、動画像は、自然画像が移動するように表示される画像である。なお、自然画像および動画像は、一部（例えば、表示領域全体のうちの３０％以下の領域）においてテキストを含んでいてもよい。
【００２２】
以下、画像の種類を「系列」という。この実施の形態では、複数の系列として４系列を例示する。よって、４つのＬＵＴが設けられている。なお、４系列は一例であって、さらに多くの系列があってもよいし、より少ない系列であってもよい。ｋ（ｋ：２以上の正の整数）系列ある場合には、ｋ個のＬＵＴが設けられる。
【００２３】
図２は、階調データ制御回路２０の構成例を示すブロック図である。図２に示す例では、階調データ制御回路２０は、画像種類判定回路３００とガンマ補正回路４００とを有する。ガンマ補正回路４００には、４つのＬＵＴが設けられている。画像種類判定回路３００は、ＭＰＵ４０が出力する系列選択データに従って、どのＬＵＴを使用するかを示す選択データを、ガンマ補正回路４００に出力する。
【００２４】
図３は、ガンマ補正回路４００の構成例を示すブロック図である。図３に示す例では、ガンマ補正回路４００は、第１系列に対応する第１ＬＵＴ４１０、第２系列に対応する第２ＬＵＴ４２０、第３系列に対応する第３ＬＵＴ４３０、および第４系列に対応する第４ＬＵＴ４４０を有する。この例では、第１系列は自然画像に対応し、第２系列はテキスト画像に対応し、第３系列は動画像に対応し、第４系列はテキスト動画像に対応する。各ＬＵＴには、表示データが示す信号レベルに対応したデータ電圧（ソース電圧）値を示すデータであって、ガンマ補正が施されたデータが、０〜６３の６４レベルの信号レベルのそれぞれに対応して設定されている。なお、ここでは、６４階調表示を行う場合を例にするが、階調数は任意である。
【００２５】
第１ＬＵＴ４１０から出力されたデータは、第１系列選択回路４１５に入力される。第２ＬＵＴ４２０から出力されたデータは、第２系列選択回路４２５に入力される。第３ＬＵＴ４３０から出力されたデータは、第３系列選択回路４３５に入力される。第４ＬＵＴ４４０から出力されたデータは、第４系列選択回路４４５に入力される。
【００２６】
第１系列選択回路４１５は、画像種類判定回路３００から、どのＬＵＴを使用するかを示す選択データとして、第１系列を使用することを示す第１系列選択信号（第１イネーブル信号）が出力されているときに、第１ＬＵＴ４１０から出力されたデータを、ソースドライバ１２に出力する。第２系列選択回路４２５は、画像種類判定回路３００から、第２系列を使用することを示す第２系列選択信号（第２イネーブル信号）が出力されているときに、第２ＬＵＴ４２０から出力されたデータを、ソースドライバ１２に出力する。第３系列選択回路４３５は、画像種類判定回路３００から、第３系列を使用することを示す第３系列選択信号（第３イネーブル信号）が出力されているときに、第３ＬＵＴ４３０から出力されたデータを、ソースドライバ１２に出力する。第４系列選択回路４４５は、画像種類判定回路３００から、第４系列を使用することを示す第４系列選択信号（第４イネーブル信号）が出力されているときに、第４ＬＵＴ４４０から出力されたデータを、ソースドライバ１２に出力する。
【００２７】
画像種類判定回路３００は、第１イネーブル信号、第２イネーブル信号、第３イネーブル信号および第４イネーブル信号のいずれかを出力する。よって、ソースドライバ１２には、第１ＬＵＴ４１０から出力されたデータ、第２ＬＵＴ４２０から出力されたデータ、第３ＬＵＴ４３０から出力されたデータ、および第４ＬＵＴ４４０から出力されたデータのいずれかが出力される。なお、第１系列選択回路４１５の出力、第２系列選択回路４２５の出力、第３系列選択回路４３５の出力、および第４系列選択回路４４５の出力は、ワイヤードオア接続されている。第１系列選択回路４１５、第２系列選択回路４２５、第３系列選択回路４３５および第４系列選択回路４４５のそれぞれは、対応するイネーブル信号を入力していないときには、出力をハイインピーダンス状態にする。
【００２８】
図４（Ａ）〜（Ｄ）は、第１ＬＵＴ４１０、第２ＬＵＴ４２０、第３ＬＵＴ４３０および第４ＬＵＴ４４０の構成例を示す説明図である。各ＬＵＴには、表示データが示す信号レベルに対応したデータ電圧値（ソース電圧値）選択を示すデータが設定されているが、図４に示す例では、極性反転駆動を行う場合の正極性駆動に対応するデータと負極性駆動に対応するデータとが設定されている。図４において、Ｖｉ＿ＳＥＬｐｊ（ｉ＝１〜４のいずれか、ｊ＝０〜６３のいずれか）は正極性駆動に対応するデータを示し、Ｖｉ＿ＳＥＬｎｊは負極性駆動に対応するデータを示す。各ＬＵＴの構成要素数は、この場合、６４×２＝１２８となっているが、構成要素数は任意である。
【００２９】
図５は、第１ＬＵＴ４１０、第２ＬＵＴ４２０、第３ＬＵＴ４３０および第４ＬＵＴ４４０に設定されるデータを説明するための説明図である。図５において、曲線ａは、γ＝２．２の場合の入力レベル（具体的には信号レベル）−透過率を示す曲線あり、自然画像に対応する。つまり、第１系列に対応する自然画像を表示する場合には、０〜６３の信号レベルのそれぞれに応じて、曲線ａで示される透過率が得られるようにする。例えば、レベル３０のときに得たい透過率が３０％であるとする。液晶表示パネル１０の特性が図１０に示された特性であるとすると、透過率３０％を呈する印加電圧は３．６Ｖである。そこで、第１ＬＵＴ４１０において、レベル３０に対応するデータとして、３．６Ｖを示すデータが設定される。第１ＬＵＴ４１０における他のデータも、レベル３０に対応するデータを定める場合と同様の考え方にもとづいて定められる。
【００３０】
図５において、曲線ｂは、テキスト画像に対応する。つまり、第２系列に対応するテキスト画像を表示する場合には、０〜６３の信号レベルのそれぞれに応じて、曲線ｂで示される透過率が得られるようにする。よって、第２ＬＵＴ４２０には、各信号レベルにおいて曲線ｂで示される透過率を呈する印加電圧選択を示すデータが設定される。曲線ｃは、γ＝３．２の場合の入力レベル（具体的には信号レベル）−透過率を示す曲線あり、動画像に対応する。つまり、第３系列に対応する動画像を表示する場合には、０〜６３の信号レベルのそれぞれに応じて、曲線ｃで示される透過率が得られるようにする。よって、第３ＬＵＴ４３０には、各信号レベルにおいて曲線ｃで示される透過率を呈する印加電圧選択を示すデータが設定される。曲線ｄは、テキスト動画像に対応する。つまり、第４系列に対応するテキスト動画像を表示する場合には、０〜６３の信号レベルのそれぞれに応じて、曲線ｄで示される透過率が得られるようにする。よって、第４ＬＵＴ４４０には、各信号レベルにおいて曲線ｄで示される透過率を呈する印加電圧選択を示すデータが設定される。
【００３１】
自然画像に対応する曲線ａは一般的なγ＝２．２の特性を示すが、テキスト画像に対応する曲線ｂは、コントラスト重視の特性を示す。すなわち、低い透過率に対応するレベル範囲および高い透過率に対応するレベル範囲が広くなっている。動画像に対応する曲線ｃは、中間調重視の特性を示す。すなわち、広いレベル範囲にわたって、レベル変化に応じて透過率が明確に変化するようになっている。テキスト動画像に対応する曲線ｄは、コントラストと中間調とをともに重視した特性を示す。すなわち、低い透過率に対応するレベル範囲および高い透過率に対応するレベル範囲は曲線ｂにおける範囲よりも狭いが曲線ａ，ｃにおける範囲よりも広く、かつ、レベル変化に応じて透過率が明確に変化する範囲が曲線ｂにおける範囲よりも広くなっている。なお、この例では、曲線ｃは、γ＝３．２の特性を示すが、γ＝２．５〜３．７程度の特性を用いてもよい。
【００３２】
図６は、画像種類判定回路３００の構成例を示すブロック図である。図６に示す構成例では、画像種類判定回路３００は、ＭＰＵ４０に接続されるデータバスに接続されているレジスタ３１０と、レジスタ３１０に設定されているデータをデコードして第１〜第４イネーブル信号を作成するデコーダ３２０とを含む。ＭＰＵ４０は、所定の時期に、系列選択データを出力する。コントローラ１１は、系列選択データを、画像種類判定回路３００のレジスタ３１０に設定する。
【００３３】
例えば、ＭＰＵ４０が携帯電話機に搭載されている場合には、ＭＰＵ４０は、待ち受け画面が表示されるとき等に自然画像の系列を指定する系列選択データを出力する。電子メールその他のテキストが表示されるときにテキスト画像を指定する系列選択データを出力する。テレビジョン放送受信時その他の場合で動画表示を行うときに動画像を指定する系列選択データを出力する。テキストを流れるように表示するときにテキスト動画像を指定する系列選択データを出力する。なお、ＭＰＵ４０は、ＭＰＵ４０が搭載された携帯電話機等の機器のユーザが操作部で画像の種類を選択したときに、選択した種類を指定する系列選択データを出力するように構成されていてもよい。
【００３４】
図７は、ＭＰＵ４０が出力する系列選択データと系列との関係の一例を示す説明図である。系列選択データは２ビットのデータであるとする。図７に示す例では、系列選択データの「００」は第１系列に対応する。系列選択データの「０１」は第２系列に対応する。系列選択データの「１０」は第３系列に対応する。系列選択データの「１１」は第４系列に対応する。
【００３５】
よって、デコーダ３２０は、レジスタ３１０に「００」がセットされると第１イネーブル信号を出力し、レジスタ３１０に「０１」がセットされると第２イネーブル信号を出力する。また、レジスタ３１０に「１０」がセットされると第３イネーブル信号を出力し、レジスタ３１０に「１１」がセットされると第４イネーブル信号を出力する。なお、この例では系列数が４であるから系列選択データは２ビットであるが、系列数がｓである場合に、系列選択データのビット数をｔにすればよい（２ｔ≧ｓ）。
【００３６】
図８は、画像種類判定回路の他の構成例を示すブロック図である。図８に示す構成例では、ＭＰＵ４０は、第１〜第４イネーブル信号のそれぞれに対応する信号を出力する。画像種類判定回路３００Ｂは、ＭＰＵ４０が出力する系列選択データを入力する入力回路（入力バッファ回路）３３０を含む。このように構成する場合には、ＭＰＵ４０とコントローラ１１との間に、第１〜第４イネーブル信号のそれぞれに対応する信号を出力するために、データバスと異なるガンマ補正制御線を設置すればよい。第１〜第４イネーブル信号のそれぞれに対応する信号を、制御線を新たに設置せず、シリアルインタフェースで出力してもよい。
【００３７】
次に、駆動回路の動作を説明する。図１に示すＲＡＭ１１１には、ＭＰＵ４０側から出力されたＲ，Ｇ，Ｂそれぞれの表示データが格納されている。図３に示されたガンマ補正回路４００は、Ｒ，Ｇ，Ｂそれぞれの表示データのうちのいずれかの表示データを制御する回路である。つまり、実際には、Ｒ，Ｇ，Ｂの表示データのそれぞれについて図３に例示するガンマ補正回路４００が設けられる。なお、階調データ制御回路２０が、Ｒ，Ｇ，Ｂそれぞれの表示データをまとめたデータを対象として制御を行うようにしてもよい。その場合には、図３に示されたガンマ補正回路４００は、一つ設けられていればよい。
【００３８】
ＭＰＵ４０は、液晶表示パネル１０に表示される画像の種類が切り替わるときに、切り替わり後の画像の種類に応じた系列選択データを出力する。駆動回路において、画像種類判定回路３００は、第１〜第４イネーブル信号のうち、系列選択データに対応するイネーブル信号をガンマ補正回路４００に出力する。
【００３９】
図３に示されたガンマ補正回路４００において、第１〜第４系列データ選択回路４１５，４２５，４３５，４４５のうち、画像種類判定回路３００が出力したイネーブル信号（第１〜第４イネーブル信号のいずれか）に対応する系列データ選択回路のみがデータ出力可能状態になる。以下、第２系列データ選択回路４２５がデータ出力可能状態になったとする。
【００４０】
コントローラ１１は、階調データ制御回路２０に、ＲＡＭ１１１に格納されている表示データを出力する。階調データ制御回路２０において、ガンマ補正回路４００における第１〜第４ＬＵＴ４１０，４２０，４３０，４４０に表示データが入力される。イネーブル信号で選択されたＬＵＴにのみ表示データが入力されるようにしてもよい。各ＬＵＴ４１０，４２０，４３０，４４０は、表示データの信号レベルに対応した電圧値選択を示すデータであってガンマ補正が施されたデータをデータ信号として出力する。第２系列データ選択回路４２５のみがデータ出力可能状態になっているので、第２ＬＵＴ４２０からのデータが、ソースドライバ１２に出力される。
【００４１】
図９は、ソースドライバ１２における電圧選択回路の構成例を示す回路図である。図９に示す構成例では、多数の抵抗Ｒを含む抵抗回路１２１において基準電圧Ｖｒｅｆを分割して得られる各電圧値の電圧を、ガンマ補正回路４００が出力するデータ、すなわちＬＵＴから出力されたデータに従って選択するスイッチ回路１２２が設けられている。スイッチ回路１２２は、ＬＵＴから出力されたデータが示す電圧値の電圧を選択してデータ電圧（ソース電圧）として出力する。出力されたデータ電圧は、ソース線に印加される。
【００４２】
以上に説明したように、上記の実施の形態では、駆動回路において画像の種類に応じたＬＵＴが設けられ、ＭＰＵ４０から出力された系列選択データに従って一のＬＵＴが選択され、選択されたＬＵＴが表示データに応じたガンマ補正された電圧値を示すデータを出力するように駆動回路が構成されているので、液晶表示パネル１０に表示される複数種類のそれぞれの画像を違和感なく視認させることができる。
【００４３】
なお、上記の実施の形態では、ノーマリーブラックモードの表示パネルを例にして説明を行ったが、ノーマリーホワイトモードの表示パネルを用いる場合にも、本発明を適用できる。
【００４４】
また、図１に示された駆動回路を、ワンチップのＬＳＩで形成してもよい。すなわち、上記の複数種類の画像のそれぞれに応じたガンマ補正機能をワンチップのＬＳＩに組み込んでもよい。複数種類の画像のそれぞれに応じたガンマ補正機能をワンチップのＬＳＩに組み込んだ場合、１種類（例えば、γ＝２．２に対応）のガンマ補正機能しか組み込まれていないＬＳＩを使用する場合と比較すると、液晶表示パネル１０に表示される画像の種類に応じたＬＵＴを動的に選択することができるので、液晶表示パネル１０に表示される画像の種類に応じた適切なガンマ補正を行うことができる。なお、このことは、ＬＳＩ化しない場合でも同様である。
【００４５】
また、Ｒ，Ｇ，Ｂのそれぞれの表示データ毎にＬＵＴが設けられている場合には、特定の色を強調するような制御を、画像の種類に応じて実現することができる。一例として、テキスト画像については緑色で表示するように設定されている場合、テキスト画像に対応する第２ＬＵＴにおける緑色についてのＬＵＴに、図５における曲線ｂで示された特性を実現するためのデータを設定し、赤色および青色についてのＬＵＴに、図５における曲線ａで示された特性を実現するためのデータを設定することが考えられる。ただし、Ｒ，Ｇ，Ｂ独立制御の場合には、ＬＵＴの選択ビットは増加することになる。
【００４６】
また、上記の実施の形態では、駆動回路は表示データを記憶するＲＡＭ１１１を備えているが、ＲＡＭ１１１を備えていない駆動回路でも、本発明を適用することができる。
【００４７】
また、上記の実施の形態では、ＴＦＴ型液晶表示パネルを駆動する駆動回路を例にしたが、ＳＴＮ（Super Twisted Nematic ）型の液晶表示パネルを駆動する駆動回路にガンマ補正機能を搭載する場合にも本発明を適用することができる。また、有機ＥＬ(Electroluminescence ) 表示パネルを駆動する駆動回路にガンマ補正機能を搭載する場合に、本発明を適用してもよい。有機ＥＬ表示パネルを駆動する駆動回路の場合には、ＬＵＴには、電流値選択を示すデータが設定される。
【産業上の利用可能性】
【００４８】
本発明は、表示パネルを駆動する駆動装置であって、ガンマ補正機能を搭載する駆動装置に効果的に適用される。
【図面の簡単な説明】
【００４９】
【図１】駆動回路の一例を、ＭＰＵおよび液晶表示パネルとともに示すブロック図。
【図２】階調データ制御回路の構成例を示すブロック図。
【図３】ガンマ補正回路の構成例を示すブロック図。
【図４】第１ＬＵＴ、第２ＬＵＴ、第３ＬＵＴおよび第４ＬＵＴの構成例を示す説明図。
【図５】第１ＬＵＴ、第２ＬＵＴ、第３ＬＵＴおよび第４ＬＵＴに設定されるデータを説明するための説明図。
【図６】画像種類判定回路の構成例を示すブロック図。
【図７】ＭＰＵが出力する系列選択データと系列との関係の一例を示す説明図。
【図８】画像種類判定回路の他の構成例を示すブロック図。
【図９】電圧選択回路の構成例を示す回路図。
【図１０】液晶表示パネルの印加電圧−透過率特性の一例を示す説明図。
【図１１】階調レベル（信号レベル）と透過率との関係の一例を示す説明図。
【符号の説明】
【００５０】
１０    液晶表示パネル
１１    コントローラ
１２    ソースドライバ
１３    ゲートドライバ
２０    階調データ制御回路
３００，３００Ｂ  画像種類判定回路
４００  ガンマ補正回路
４１０  第１ＬＵＴ
４１５  第１系列選択回路
４２０  第２ＬＵＴ
４２５  第２系列選択回路
４３０  第３ＬＵＴ
４３５  第３系列選択回路
４４０  第４ＬＵＴ
４４５  第４系列選択回路
【図１】
2008107652.tif 000003
【図２】
2008107652.tif 000004
【図３】
2008107652.tif 000005
【図４】
2008107652.tif 000006
【図５】
2008107652.tif 000007
【図６】
2008107652.tif 000008
【図７】
2008107652.tif 000009
【図８】
2008107652.tif 000010
【図９】
2008107652.tif 000011
【図１０】
2008107652.tif 000012
【図１１】
2008107652.tif 000013